(57)【要約】【課題】ラック組立体の生産性を向上させる。【解決手段】ラック組立体であって、ラック歯が突出するラック面を有するラック部材と、ラック部材を変位可能に支持する支持部材と、ラック部材を、ラック歯の突出方向に付勢する付勢部材と、ラック歯と離間した位置からラック歯に送りねじを噛み合わせる場合に、ラック歯のフランクおよび頂部のいずれかが、ラック部材の他の部分よりも先に送りねじに当接する向きに、付勢部材の付勢力に抗して、ラック部材を位置決めする位置決め部材とを備える。【選択図】図５
2014085477.tif 000002
【特許請求の範囲】
【請求項１】
ラック歯が突出するラック面を有するラック部材と、
前記ラック部材を変位可能に支持する支持部材と、
前記ラック部材を、前記ラック歯の突出方向に付勢する付勢部材と、
前記ラック歯と離間した位置から前記ラック歯に送りねじを噛み合わせる場合に、前記ラック歯のフランクおよび頂部のいずれかが、前記ラック部材の他の部分よりも先に前記送りねじに当接する向きに、前記付勢部材の付勢力に抗して、前記ラック部材を位置決めする位置決め部材と
を備えるラック組立体。
【請求項２】
前記ラック部材は、前記ラック面に対向して配され、前記ラック歯にかみ合う送りねじを前記ラック面と協働して挟む対向部を更に備え、
前記対向部は、前記ラック歯に噛み合うべく前記ラック面に接近する送りねじを案内する案内面を有する請求項１に記載のラック組立体。
【請求項３】
前記案内面は前記対向部の先端に配され、前記案内面の先端は、前記ラック歯の突出方向について、前記ラック歯と対向する位置に配される請求項２に記載のラック組立体。
【請求項４】
前記支持部材は、前記送りねじの接近方向を案内する案内部を更に有する請求項１から請求項３までのいずれか一項に記載のラック組立体。
【請求項５】
請求項１から請求項４までのいずれか一項に記載のラック組立体を備えた光学装置。
【請求項６】
ラック歯が突出するラック面を有するラック部材と、前記ラック歯に噛み合う送りねじと、前記ラック歯を前記送りねじに向かって付勢する付勢部材とを備えるラック機構の製造方法であって、
前記ラック歯のフランクおよび頂部のいずれかが、前記ラック部材の他の部分よりも先に前記送りねじに当接する向きに、前記付勢部材の付勢力に抗して、前記ラック部材を位置決めする位置決め部材を設ける段階と、
前記位置決め部材に位置決めされた前記ラック部材の前記ラック歯に対して前記送りねじを接近させて前記ラック歯に噛み合わせる段階と
を備えるラック機構の製造方法。
【発明の詳細な説明】
【技術分野】
【０００１】
本発明は、ラック組立体、光学装置およびラック機構の製造方法に関する。
【背景技術】
【０００２】
ラックと送りねじとを組み合わせたレンズ駆動装置がある（特許文献１参照）。
［特許文献１］  特開２００９−２０５１０６号公報
【発明の概要】
【発明が解決しようとする課題】
【０００３】
レンズ駆動装置の組み立てにおいてラックと送りねじとを噛み合わせる過程で、ラックに当接した送りねじがラック側の部材を傷める場合がある。
【課題を解決するための手段】
【０００４】
本発明の第一態様においては、ラック歯が突出するラック面を有するラック部材と、ラック部材を変位可能に支持する支持部材と、ラック部材を、ラック歯の突出方向に付勢する付勢部材と、ラック歯と離間した位置からラック歯に送りねじを噛み合わせる場合に、ラック歯のフランクおよび頂部のいずれかが、ラック部材の他の部分よりも先に送りねじに当接する向きに、付勢部材の付勢力に抗して、ラック部材を位置決めする位置決め部材とを備えるラック組立体が提供される。
【０００５】
本発明の第二態様においては、上記ラック組立体を備える光学機器が提供される。
【０００６】
本発明の第三態様においては、ラック歯が突出するラック面を有するラック部材と、ラック歯に噛み合う送りねじと、ラック歯を送りねじに向かって付勢する付勢部材とを備えるラック機構の製造方法であって、ラック歯のフランクおよび頂部のいずれかが、ラック部材の他の部分よりも先に送りねじに当接する向きに、付勢部材の付勢力に抗して、ラック部材を位置決めする位置決め部材を設ける段階と、位置決め部材に位置決めされたラック部材のラック歯に対して送りねじを接近させてラック歯に噛み合わせる段階とを備えるラック機構の製造方法が提供される。
【０００７】
上記発明の概要は、この発明の必要な特徴の全てを列挙したものではない。これらの特徴群のサブコンビネーションもまた発明となり得る。
【図面の簡単な説明】
【０００８】
【図１】カメラシステム１００の模式的断面図である。
【図２】ラック機構４００の斜視図である。
【図３】ラック機構４００の斜視図である。
【図４】レンズユニット２００の部分断面図である。
【図５】レンズユニット２００の部分拡大図である。
【図６】レンズユニット２００の部分拡大図である。
【図７】レンズユニット２００の部分断面図である。
【発明を実施するための形態】
【０００９】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【００１０】
図１は、カメラシステム１００の模式的断面図である。カメラシステム１００は光学機器の一例であり、レンズユニット２００およびカメラボディ３００を備える。
【００１１】
レンズユニット２００は、一端に設けられたレンズ側マウント部２０８によりカメラボディ３００に結合される。なお、記載を簡潔にする目的で、下記の説明においては、カメラボディ３００に装着されたレンズユニット２００に対して物体側を、カメラシステム１００の前側または先側と記載する。また、レンズユニット２００に対して物体から遠い側を、カメラシステム１００における後側または背面側と記載する。
【００１２】
レンズユニット２００は、光軸Ｘに沿って配置された第一レンズ群２１０、第二レンズ群２２０、第三レンズ群２３０および第四レンズ群２４０を含む光学系を備える。第一レンズ群２１０、第二レンズ群２２０、第三レンズ群２３０および第四レンズ群２４０は、それぞれレンズ保持枠２１２、２２２、２３２、２４２に個別に保持される。また、レンズユニット２００は、固定筒２０１、操作環２０２、直進筒２０３、先筒２０４、カム筒２０５、案内筒２０６、第一移動枠２０７および第二移動枠２０９を含む鏡筒を備える。
【００１３】
固定筒２０１は、後端にレンズ側マウント部２０８を有する。レンズ側マウント部２０８をカメラボディ３００前面のボディ側マウント部３６０と結合させることにより、固定筒２０１は、カメラボディ３００に対して固定される。
【００１４】
なお、レンズ側マウント部２０８およびボディ側マウント部３６０の結合は解除できる。よって、カメラボディ３００は、規格に適合するレンズ側マウント部２０８を有する他のレンズユニット２００と組み合わせても使用できる。
【００１５】
レンズユニット２００において、操作環２０２は、固定筒２０１の外周面に配される。操作環２０２は、レンズユニット２００の光学系を変倍させる場合に、ユーザにより回転操作される。
【００１６】
操作環２０２は、内面に形成されたカム溝、直溝等により、直進筒２０３およびカム筒２０５に係合する。操作環２０２が回転した場合、直進筒２０３は、固定筒２０１に対して光軸Ｘ方向に移動する。また、カム筒２０５は、操作環２０２と共に回転しつつ、直進筒２０３に連れ従って光軸Ｘ方向に移動する。
【００１７】
なお、カム筒２０５の内側に位置する案内筒２０６は、固定筒２０１に結合されて固定筒２０１に対して移動しない。よって、カム筒２０５は、案内筒２０６に対しても移動する。
【００１８】
先筒２０４は、直進筒２０３およびカム筒２０５にそれぞれ係合して支持される。これにより、先筒２０４は、直進筒２０３およびカム筒２０５の固定筒２０１に対する移動に連れ従って光軸Ｘ方向に移動する。
【００１９】
更に、先筒２０４は、回転することなく光軸Ｘ方向に移動する直進筒２０３と、回転しつつ移動するカム筒２０５との間で駆動されて、直進筒２０３およびカム筒２０５に対しても移動する。先筒２０４は、第一レンズ群２１０を保持するレンズ保持枠２１２を先端に支持しているので、先筒２０４の移動に伴って第一レンズ群２１０も光軸Ｘ方向に移動する。
【００２０】
第一移動枠２０７および第二移動枠２０９は、カム筒２０５に形成されたカム溝に係合するカムフォロワをそれぞれ有して、カム筒２０５の回転に伴って固定筒２０１に対して光軸Ｘ方向に個別に移動する。これにより、第一移動枠２０７は、第二レンズ群２２０を保持したレンズ保持枠２２２を光軸光方向移動させる。また、第二移動枠２０９は、第三レンズ群２３０および第四レンズ群２４０を保持するレンズ保持枠２３２、２４２を間接的または直接的に連結して、第三レンズ群２３０および第四レンズ群２４０を光軸Ｘ方向移動させる。
【００２１】
このように、操作環２０２が回転操作された場合、第一レンズ群２１０、第二レンズ群２２０、第三レンズ群２３０および第四レンズ群２４０が固定筒２０１に対して移動する。これにより、レンズユニット２００に形成された光学系の倍率が変化する。
【００２２】
更に、第三レンズ群２３０を保持するレンズ保持枠２３２は、第二移動枠２０９に固定された送りねじ組立体２７０により駆動されて、第二移動枠２０９に対して更に移動可能に支持される。送りねじ組立体２７０は、ステッピングモータ２７２、送りねじ２７４およびフレーム２７６を有する。
【００２３】
フレーム２７６は、ステッピングモータ２７２および送りねじ２７４を一体的に支持し、レンズ保持枠２４２に対して固定される。ステッピングモータ２７２は、送りねじ２７４を回転駆動する。送りねじ２７４は、ラック部材２９０を介してレンズ保持枠２３２と係合する。
【００２４】
これにより、レンズ保持枠２３２に保持された第三レンズ群２３０を、第四レンズ群２４０を保持したレンズ保持枠２４２に対して相対移動させることができる。レンズユニット２００において第三レンズ群２３０が移動した場合、レンズユニット２００の光学系の焦点位置が変化する。よって、カメラボディ３００側からの信号に基づいてステッピングモータ２７２を電気的に制御することにより、レンズユニット２００を合焦させることができる。
【００２５】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２６】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２７】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２８】
ミラーユニット３７０は、メインミラー３７１およびサブミラー３７４を含む。メインミラー３７１は、メインミラー回動軸３７３により軸支されたメインミラー保持部３７２に支持される。
【００２９】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００３０】
メインミラー保持部３７２の前端が降下した場合、メインミラー３７１は、レンズユニット２００から入射した入射光束上に斜めに位置する。メインミラー保持部３７２が上昇した場合、メインミラー３７１は、入射光束を避けた位置に退避する。
【００３１】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００３２】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３３】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３４】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００３５】
上記のようなレンズユニット２００およびカメラボディ３００を備えるカメラシステム１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。
【００３６】
図２および図３は、レンズユニット２００内に形成されたラック機構４００の斜視図である。図２は、ラック機構４００を、レンズユニット２００の先端側から見下ろした様子を示す。図３は、ラック機構４００を、レンズユニット２００の後端側から見あげた様子を示す。図２および図３において共通な要素には同じ参照番号を付して重複する説明を省く。
【００３７】
ラック機構４００は、送りねじ組立体２７０と第三レンズ群組立体４１０とを組み合わせて形成される。送りねじ組立体２７０は、ステッピングモータ２７２、送りねじ２７４およびフレーム２７６を含む。
【００３８】
送りねじ組立体２７０において、フレーム２７６は、送りねじ２７４の両端を回転可能に保持する。また、フレーム２７６の一端は、ステッピングモータ２７２に結合される。これにより、ステッピングモータ２７２、送りねじ２７４およびフレーム２７６は一体化される。よって、フレーム２７６を固定することにより、送りねじ組立体２７０全体を固定できる。
【００３９】
なお、フレーム２７６には、位置決め穴２７７とねじ穴２７９とが設けられる。位置決め穴２７７は、突起状の他の部材と嵌合することにより送りねじ組立体２７０の位置を決める。ねじ穴２７９は、送りねじ組立体２７０を固定する場合にねじを挿通させる。
【００４０】
ラック機構４００において、第三レンズ群組立体４１０は、第三レンズ群２３０、レンズ保持枠２３２およびラック部材２９０を含む。レンズ保持枠２３２は、嵌合部２３４、係合部２３６および支持部２３８を一体的に備える。
【００４１】
レンズ保持枠２３２は、一対の案内軸２３７に摺動可能に支持される。一対の案内軸２３７は、第二移動枠２０９の内部に、光軸Ｘと平行に固定される。一対の案内軸２３７の一方は、レンズ保持枠２３２の嵌合部２３４と嵌合する。一対の案内軸２３７の他方は、レンズ保持枠２３２の係合部２３６と係合する。これにより、レンズ保持枠２３２は、光軸Ｘと平行に移動可能に支持される。
【００４２】
また、支持部２３８は、嵌合部２３４に隣接して配される。支持部２３８は、ラック部材２９０の回動軸２９６を、光軸Ｘと平行な方向に軸支する。よって、ラック部材２９０は、回動軸２９６の周りを回動するが、光軸Ｘ方向については、レンズ保持枠２３２に対して変位しない。
【００４３】
また、支持部２３８に軸支されたラック部材２９０は、捩じりばね状の付勢部材２３９により、レンズ保持枠２３２から遠ざかる方向に付勢される。これにより、ラック部材２９０と送りねじ２７４とが噛み合った場合にがたが生じない。
【００４４】
ラック部材２９０は、ラック面２９２、対向部２９４および回動軸２９６を一体的に備える。回動軸２９６は軸状の形状を有し、ラック部材２９０の図中下端において、支持部２３８に軸支される。
【００４５】
ラック面２９２および対向部２９４は、ラック部材２９０の長手方向について、回動軸２９６と反対側に、互いに対向して配される。これにより、ラック部材２９０が送りねじ２７４と噛み合った場合、ラック面２９２および対向部２９４が、協働して送りねじ２７４を挟む。ラック部材２９０が送りねじ２７４と噛み合った場合、付勢部材２３９により付勢されたラック部材２９０は、ラック面２９２側が送りねじ２７４に押しつけられる。
【００４６】
上記のラック機構において、ステッピングモータ２７２が回転すると、送りねじ２７４が回転して、ラック部材２９０に、光軸Ｘ方向の駆動力を伝える。これにより、レンズ保持枠２３２は、案内軸２３７に沿って、光軸Ｘ方向に移動する。ステッピングモータ２７２の回転方向を反転させた場合は、レンズ保持枠２３２の移動方向も反転する。
【００４７】
図４は、レンズユニット２００のひとつの断面を示す断面図である。図２および図３と共通の要素には同じ参照番号を付して重複する説明を省く。
【００４８】
図４に示す断面には、第三レンズ群２３０およびレンズ保持枠２３２と、レンズ保持枠２３２の駆動に関与するラック部材２９０とが顕れている。ただし、送りねじ組立体２７０は、レンズ保持枠２４２に対してまだ固定されていない。
【００４９】
このため、ラック部材２９０は、付勢部材２３９の付勢力により付勢されて、回動軸２９６の周りに図中時計周りに回動し、レンズ保持枠２４２に設けられた位置決め部２７５に当接している。換言すれば、位置決め部２７５は、付勢部材２３９の付勢力に抗して、ラック部材２９０を、予め定められた位置に位置決めしている。
【００５０】
レンズユニット２００の組み立て過程において上記のような状態のラック部材２９０に送りねじ２７４を噛み合わせる場合、図中に矢印Ａで示すように、送りねじ２７４をレンズユニット２００の径方向に接近させる。このため、レンズ保持枠２４２の周面には、レンズユニット２００の径方向について外側に向かって突出する一対の位置決めピン２７３が設けられる。
【００５１】
図５は、レンズユニット２００の部分拡大図であり、レンズユニット２００を製造する過程で、送りねじ２７４をラック部材２９０に噛み合わせる直前の状態を示す。図２から図４までと共通の要素には同じ参照番号を付して重複する説明を省く。
【００５２】
送りねじ組立体２７０が取り付けられる前のレンズユニット２００において、ラック部材２９０は、付勢部材２３９の付勢力により、位置決め部２７５に当接して位置決めされている。位置決めされた状態のラック部材２９０において、ラック歯２９３は、ラック面２９２からレンズユニット２００の径方向外側に向かって突出する。これに対して、送りねじ２７４は、図中に点線Ｂ１、Ｃ１で示すように、ラック歯２９３の突出方向に対向する方向からラック部材２９０に挿入される。
【００５３】
位置決め部２７５は、付勢部材２３９の付勢力に抗してラック部材２９０の回動を制止している。よって、レンズユニット２００の径方向に進入してきた送りねじ２７４は、図中に点線Ｄ１で示すように、まず、ラック歯２９３のフランクまたは頂部に当接する。よって、ラック歯２９３と送りねじ２７４のねじ山とが最初に当接して、その後、送りねじ２７４は、ラック面２９２および対向部２９４の間に入り込む。
【００５４】
また、送りねじ２７４とラック歯２９３とが当接する直前には、図中に点線Ｂ２、Ｃ２、Ｄ２で示すように、送りねじ組立体２７０のフレーム２７６における位置決め穴２７７が、レンズ保持枠２４２の位置決めピン２７３と嵌まり合う。これにより、組付けられる送りねじ組立体２７０が精度よく位置決めされる。
【００５５】
なお、仮に付勢部材２３９が設けられておらず、ラック部材２９０が、図示の状態よりも、図中反時計周りに回動した位置にきてしまった場合は、進入してきた送りねじ２７４の経路上に対向部２９４が入り込むので、送りねじ２７４をラック歯２９３に噛み合わせることができない。よって、この場合は、作業者が、付勢部材２３９の付勢力に抗してラック部材２９０を回転させなければ、送りねじ２７４をラックは２９３に噛み合わせることができない。このため、レンズユニット２００の組み立てに要する手間が増える。
【００５６】
また、ラック部材２９０が、図示の状態よりも、図中時計周りに回動した位置にある場合、進入してきた送りねじ２７４は、ラック歯２９３のフランクまたは頂部よりも先に、ラック部材２９０の他の部分、例えば、例えば、ラック歯２９３の長手方向先端面に当接する。このため、送りねじ２７４は、ラック歯２９３と噛み合うまでラック部材２９０をいわば押し退けて進入する。
【００５７】
しかしながら、送りねじ２７４は、例えば、ステンレス鋼等の金属により形成され、ラック部材２９０は樹脂により成形される。このため、送りねじ２７４のねじ山がラック部材２９０のラック歯２９３以外の部分に当接した状態でラック部材２９０を押し退けると、ラック部材２９０の表面を傷める場合がある。
【００５８】
このように、レンズユニット２００においては、位置決め部２７５が、ラック部材２９０を適切な位置に位置決めしているので、作業者に手間をかけさせることなく、ラック部材２９０を傷めることなく、送りねじ２７４をラック歯２９３に噛み合わせることができる。
【００５９】
なお、対向部２９４におけるラック面２９２に対向する面の先端を面取りして、案内面２９５を設けてもよい。これにより、送りねじ２７４を、ラック歯２９３のフランクまたは頂部に向かってより精度よく案内できる。
【００６０】
また、図中に一点鎖線Ｔを記載して示すように、ラック部材２９０の長手方向について、対向部２９４、より詳細には案内面２９５の先端を、ラック面２９２よりも短くしてもよい。これにより、送りねじ２７４のラック部材２９０に対する進入経路に余裕をもたせ、送りねじ２７４をラック歯２９３に噛み合わせる作業を容易にすることができる。
【００６１】
図６は、レンズユニット２００の部分拡大図であり、レンズユニット２００を製造する過程で、送りねじ２７４をラック部材２９０に噛み合わせた直後の状態を示す。図２から図５までと共通の要素には同じ参照番号を付して重複する説明を省く。
【００６２】
送りねじ２７４と噛み合ったラック部材２９０は、噛み合った送りねじ２７４に押されて、図中時計周りに僅かに回動する。これにより、ラック部材２９０は、レンズ保持枠２４２の位置決め部２７５から離間する。
【００６３】
また、送りねじ組立体２７０におけるフレーム２７６は、レンズ保持枠２４２の周面に密着する。このとき、レンズ保持枠２４２の位置決めピン２７３が、フレーム２７６の位置決め穴２７７に入り込んでフレーム２７６を精度よく位置決めする。フレーム２７６は、ねじ穴２７９に挿通されたねじにより、レンズ保持枠２４２の周面に固定される。
【００６４】
図７は、レンズユニット２００のひとつの断面を示す断面図である。図６までの各図と共通の要素には同じ参照番号を付して重複する説明を省く。
【００６５】
図７に示す断面は、第二移動枠２０９と第四レンズ群２４０を保持するレンズ保持枠２４２とが組付けられた状態を示す。この状態では、第三レンズ群２３０を保持するレンズ保持枠２３２の上に第二移動枠２０９が配置され、ラック部材２９０を覆い隠しているので、外部からラック部材２９０を操作することはできない。
【００６６】
しかしながら、既に説明した通り、レンズユニット２００においては、送りねじ組立体２７０を取り外した状態であっても、レンズ保持枠２４２の位置決め部２７５がラック部材２９０を位置決めしている。よって、第二移動枠２０９を取り外すことなく、送りねじ組立体２７０をレンズユニット２００から着脱できる。これにより、レンズユニット２００の保守性を向上させることができる。
【００６７】
ここまで、交換可能なレンズユニット２００を備えたレンズ交換式一眼レフカメラを例にあげて説明したが、クイックリターンミラーを備えていないレンズ交換式の撮像装置であっても上記の構造を適用できる。更に、レンズユニット２００とカメラボディ３００が一体に形成されたカメラの他、ラック機構４００により駆動する光学部材を備えた望遠鏡、測量器、顕微鏡等においても上記の構造を適用できる。
【００６８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６９】
１００  カメラシステム、２００  レンズユニット、２０１  固定筒、２０２  操作環、２０３  直進筒、２０４  先筒、２０５  カム筒、２０６  案内筒、２０７  第一移動枠、２０８  レンズ側マウント部、２０９  第二移動枠、２１０  第一レンズ群、２１２、２２２、２３２、２３２、２４２  レンズ保持枠、２２０  第二レンズ群、２３０  第三レンズ群、２３４  嵌合部、２３６  係合部、２３７  案内軸、２３８  支持部、２３９  付勢部材、２４０  第四レンズ群、２７０  送りねじ組立体、２７２  ステッピングモータ、２７３  位置決めピン、２７４  送りねじ、２７５  位置決め部、２７６  フレーム、２７７  位置決め穴、２７９  ねじ穴、２９０  ラック部材、２９２  ラック面、２９３  ラック歯、２９４  対向部、２９５  案内面、２９６  回動軸、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ、４００  ラック機構、４１０  第三レンズ群組立体
【図１】
2014085477.tif 000003
【図２】
2014085477.tif 000004
【図３】
2014085477.tif 000005
【図４】
2014085477.tif 000006
【図５】
2014085477.tif 000007
【図６】
2014085477.tif 000008
【図７】
2014085477.tif 000009